【手続補正書】
【提出日】平成17年10月26日(2005.10.26)
【手続補正１】
【補正対象書類名】明細書
【補正対象項目名】発明の名称
【補正方法】変更
【補正の内容】
【発明の名称】コンピュータ読み取り可能な記憶媒体、電子装置、及び画像表示方法
【手続補正２】
【補正対象書類名】明細書
【補正対象項目名】特許請求の範囲
【補正方法】変更
【補正の内容】
【特許請求の範囲】
【請求項１】
仮想三次元空間内に位置し、前記仮想三次元空間内に設定された走行路を移動する移動体を、前記仮想三次元空間内に位置する視点から捉えた画像をモニタ装置に表示する処理を電子装置の制御部に実行させるためのプログラムであって、
前記制御部に、
前記仮想三次元空間内に目的地を設定するステップと、
前記移動体を遊戯者の操作入力に基づいて移動させるステップと、
前記移動体の現在位置が前記目的地から所定距離以上離れている場合には、前記現在位置から前記目的地に向かう走行路に沿った第１の方向指示オブジェクトを表示し、前記移動体の現在位置が前記目的地から前記所定距離以上離れていない場合には、前記現在位置から前記目的地に向かう第２の方向指示オブジェクトを表示するステップと
を実行させるためのプログラムを記録したコンピュータ読み取り可能な記憶媒体。
【請求項２】
前記第１の方向指示オブジェクトと前記第２の方向指示オブジェクトとは、形状、色、及び表示形態のうち少なくともひとつが異なるプログラムを記録した請求項１記載のコンピュータ読み取り可能な記憶媒体。
【請求項３】
前記移動体の現在位置が前記目的地から前記所定距離以上離れている場合と、前記移動体の現在位置が前記目的地から前記所定距離以上離れていない場合とでは、効果音及び画面の表示態様のうち少なくとも一つが異なるプログラムを記録した請求項１又は２記載のコンピュータ読み取り可能な記憶媒体。
【請求項４】
少なくとも、前記移動体の現在位置が前記目的地から前記所定距離以上離れていない場合には、前記目的地を強調表示させるステップを更に含むプログラムを記録した請求項１乃至３のいずれか１項記載のコンピュータ読み取り可能な記憶媒体。
【請求項５】
仮想三次元空間内に位置し、前記仮想三次元空間内に設定された走行路を移動する移動体を、前記仮想三次元空間内に位置する視点から捉えた画像をモニタ装置に表示する処理を制御部が実行する電子装置であって、
前記制御部は、
前記仮想三次元空間内に目的地を設定する手段と、
前記移動体を遊戯者の操作入力に基づいて移動させる手段と、
前記移動体の現在位置が前記目的地から所定距離以上離れている場合には、前記現在位置から前記目的地に向かう走行路に沿った第１の方向指示オブジェクトを表示し、前記移動体の現在位置が前記目的地から前記所定距離以上離れていない場合には、前記現在位置から前記目的地に向かう第２の方向指示オブジェクトを表示する手段とを有する
ことを特徴とする電子装置。
【請求項６】
電子装置の制御部が、仮想三次元空間内に位置し、前記仮想三次元空間内に設定された走行路を移動する移動体を、前記仮想三次元空間内に位置する視点から捉えた画像をモニタ装置に表示する画像表示方法であって、
前記制御部が、前記仮想三次元空間内に目的地を設定するステップと、
前記制御部が、前記移動体を遊戯者の操作入力に基づいて移動させるステップと、
前記制御部が、前記移動体の現在位置が前記目的地から所定距離以上離れている場合には、前記現在位置から前記目的地に向かう走行路に沿った第１の方向指示オブジェクトを表示し、前記移動体の現在位置が前記目的地から前記所定距離以上離れていない場合には、前記現在位置から前記目的地に向かう第２の方向指示オブジェクトを表示するステップと
を有することを特徴とする画像表示方法。
【手続補正３】
【補正対象書類名】明細書
【補正対象項目名】０００１
【補正方法】変更
【補正の内容】
【０００１】
【発明の属する技術分野】
本発明は、市街地等の仮想空間内を自由に走行する操作者にわかりやすい方向指示を行うことができる走行方向を表示する画像表示方法、その画像表示方法を実行するプログラムを記録した記憶媒体、その画像表示方法を実行する電子装置に関する。
【手続補正４】
【補正対象書類名】明細書
【補正対象項目名】０００６
【補正方法】変更
【補正の内容】
【０００６】
本発明の目的は、市街地等の仮想空間を目的地まで移動する操作を行う操作者にわかりやすい表示を行うことができる画像表示方法、その画像表示方法を実行するプログラムを記録した記憶媒体、その画像表示方法を実行する電子装置を提供することにある。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
【課題を解決するための手段】
上記目的は、仮想三次元空間内に位置し、前記仮想三次元空間内に設定された走行路を移動する移動体を、前記仮想三次元空間内に位置する視点から捉えた画像をモニタ装置に表示する処理を電子装置の制御部に実行させるためのプログラムであって、前記制御部に、前記仮想三次元空間内に目的地を設定するステップと、前記移動体を遊戯者の操作入力に基づいて移動させるステップと、前記移動体の現在位置が前記目的地から所定距離以上離れている場合には、前記現在位置から前記目的地に向かう走行路に沿った第１の方向指示オブジェクトを表示し、前記移動体の現在位置が前記目的地から前記所定距離以上離れていない場合には、前記現在位置から前記目的地に向かう第２の方向指示オブジェクトを表示するステップとを実行させるためのプログラムを記録したコンピュータ読み取り可能な記憶媒体によって達成される。これにより、市街地等の仮想空間を目的地まで移動する操作を行う操作者にわかりやすい表示を行うことができる。
【手続補正７】
【補正対象書類名】明細書
【補正対象項目名】０００９
【補正方法】変更
【補正の内容】
【０００９】
上述した記憶媒体に記録されたプログラムにおいて、前記第１の方向指示オブジェクトと前記第２の方向指示オブジェクトとは、形状、色、及び表示形態のうち少なくともひとつが異なるようにしてもよい。
【手続補正８】
【補正対象書類名】明細書
【補正対象項目名】００１０
【補正方法】変更
【補正の内容】
【００１０】
上述した記憶媒体に記録されたプログラムにおいて、前記移動体の現在位置が前記目的地から前記所定距離以上離れている場合と、前記移動体の現在位置が前記目的地から前記所定距離以上離れていない場合とでは、効果音及び画面の表示態様のうち少なくとも一つが異なるようにしてもよい。
【手続補正９】
【補正対象書類名】明細書
【補正対象項目名】００１１
【補正方法】変更
【補正の内容】
【００１１】
上述した記憶媒体に記録されたプログラムにおいて、少なくとも、前記移動体の現在位置が前記目的地から前記所定距離以上離れていない場合には、前記目的地を強調表示させるステップを更に含むようにしてもよい。
【手続補正１０】
【補正対象書類名】明細書
【補正対象項目名】００１２
【補正方法】変更
【補正の内容】
【００１２】
上記目的は、仮想三次元空間内に位置し、前記仮想三次元空間内に設定された走行路を移動する移動体を、前記仮想三次元空間内に位置する視点から捉えた画像をモニタ装置に表示する処理を制御部が実行する電子装置であって、前記制御部は、前記仮想三次元空間内に目的地を設定する手段と、前記移動体を遊戯者の操作入力に基づいて移動させる手段と、前記移動体の現在位置が前記目的地から所定距離以上離れている場合には、前記現在位置から前記目的地に向かう走行路に沿った第１の方向指示オブジェクトを表示し、前記移動体の現在位置が前記目的地から前記所定距離以上離れていない場合には、前記現在位置から前記目的地に向かう第２の方向指示オブジェクトを表示する手段とを有することを特徴とする電子装置によって達成される。
【手続補正１１】
【補正対象書類名】明細書
【補正対象項目名】００１３
【補正方法】変更
【補正の内容】
【００１３】
上記目的は、電子装置の制御部が、仮想三次元空間内に位置し、前記仮想三次元空間内に設定された走行路を移動する移動体を、前記仮想三次元空間内に位置する視点から捉えた画像をモニタ装置に表示する画像表示方法であって、前記制御部が、前記仮想三次元空間内に目的地を設定するステップと、前記制御部が、前記移動体を遊戯者の操作入力に基づいて移動させるステップと、前記制御部が、前記移動体の現在位置が前記目的地から所定距離以上離れている場合には、前記現在位置から前記目的地に向かう走行路に沿った第１の方向指示オブジェクトを表示し、前記移動体の現在位置が前記目的地から前記所定距離以上離れていない場合には、前記現在位置から前記目的地に向かう第２の方向指示オブジェクトを表示するステップとを有することを特徴とする画像表示方法によって達成される。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００６９
【補正方法】変更
【補正の内容】
【００６９】
【発明の効果】
以上の通り、本発明によれば、走行体の現在位置が目的地から所定距離以上離れている場合には、現在位置から目的地に向かう走行路に沿った方向指示オブジェクトを表示し、走行体の現在位置が目的地から所定距離以上離れていない場合には、現在位置から目的地に向かう方向指示オブジェクトを表示することにより、市街地等の仮想空間を目的地まで移動する操作を行う操作者にわかりやすい表示を行うことができる。
【手続補正２６】
【補正対象書類名】明細書
【補正対象項目名】００７０
【補正方法】削除
【補正の内容】
【手続補正２７】
【補正対象書類名】明細書
【補正対象項目名】００７１
【補正方法】削除
【補正の内容】